(57)【要約】【課題】同一環境下にいる複数の被験者の生体情報を、各被験者が十分に認識した状態で外部の記憶装置に記録し、その記録された生体情報に基づいて、当該環境の状態又は当該環境下にいる被験者の健康状態の管理を行う。【解決手段】生体情報収集システム１０は、被験者が入退出する所定の環境２０内に配設又は被験者に配設され、被験者の生体情報を測定して送信する生体情報検出センサ１２と、被験者が所持する情報蓄積素子１６と、所定の環境２０への被験者の入退出を検出し、情報蓄積素子１６からの情報を取得して記憶する入退出管理装置１８とを有する。情報蓄積素子１６は、被験者のＩＤコードが登録され、少なくとも生体情報検出センサ１２から送信された生体情報を受信し、該生体情報を入退出管理装置１８に送信する送受信部と、生体情報を記憶するメモリ部とを有する。【選択図】図１
2006263105.tif 000002
【特許請求の範囲】
【請求項１】
被験者が入退出する所定の環境内に配設又は前記被験者に配設され、前記被験者の生体情報を測定して送信する生体情報検出センサと、
前記被験者が所持する情報蓄積素子と、
前記所定の環境への前記被験者の入退出を検出し、前記情報蓄積素子からの情報を取得して記憶する入退出管理装置とを有し、
前記情報蓄積素子は、
前記被験者のＩＤ情報が登録され、少なくとも前記生体情報検出センサから送信された前記生体情報を受信する受信手段と、
少なくとも前記生体情報を記憶する記憶手段と、
前記記憶手段に記憶された少なくとも前記ＩＤ情報及び前記生体情報を送信する送信手段とを有することを特徴とする生体情報収集システム。
【請求項２】
請求項１記載の生体情報収集システムにおいて、
前記生体情報検出センサは、前記生体情報に加えて、該生体情報を測定した日時情報を送信し、
前記情報蓄積素子の前記受信手段は、前記生体情報に加えて、前記生体情報を測定した日時情報を受信し、
前記情報蓄積素子の前記記憶手段は、さらに、前記生体情報を測定した日時情報を記憶することを特徴とする生体情報収集システム。
【請求項３】
請求項１又は２記載の生体情報収集システムにおいて、
前記生体情報検出センサは、前記生体情報に加えて、前記生体情報を特定する生体情報コードを送信し、
前記情報蓄積素子の前記受信手段は、前記生体情報に加えて、前記生体情報コードを受信し、
前記情報蓄積素子の前記記憶手段は、少なくとも前記生体情報コード別に前記生体情報を記憶することを特徴とする生体情報収集システム。
【請求項４】
請求項１又は２記載の生体情報収集システムにおいて、
さらに、前記被験者が入退出する前記所定の環境の環境情報を測定して送信する環境情報検出センサを有し、
前記情報蓄積素子の前記受信手段は、前記生体情報に加えて、前記環境情報検出センサから送信された環境情報を受信し、
前記情報蓄積素子の前記記憶手段は、さらに、前記環境情報を記憶することを特徴とする生体情報収集システム。
【請求項５】
請求項４記載の生体情報収集システムにおいて、
前記環境情報検出センサは、前記環境情報に加えて、該環境情報を測定した日時情報を送信し、
前記情報蓄積素子の前記受信手段は、前記環境情報に加えて、前記環境情報を測定した日時情報を受信し、
前記情報蓄積素子の前記記憶手段は、さらに、前記環境情報を測定した日時情報を記憶することを特徴とする生体情報収集システム。
【請求項６】
請求項４又は５記載の生体情報収集システムにおいて、
前記環境情報検出センサは、前記環境情報に加えて、前記環境情報を特定する環境情報コードを送信し、
前記情報蓄積素子の前記受信手段は、前記環境情報に加えて、前記環境情報コードを受信し、
前記情報蓄積素子の前記記憶手段は、少なくとも前記環境情報コード別に前記環境情報を記憶することを特徴とする生体情報収集システム。
【請求項７】
請求項１〜６のいずれか１項に記載の生体情報収集システムにおいて、
前記入退出管理装置は、
前記所定の環境への前記被験者の入退出を検出する入退出検出手段と、
前記入退出検出手段にて前記被験者が前記所定の環境から退出することを検出した際に、該被験者が所持する前記情報蓄積素子と通信を行って前記情報蓄積素子の前記記憶手段に記憶されている情報を取得する通信手段と、
前記通信手段によって取得した前記情報を記憶する情報記憶手段とを有することを特徴とする生体情報収集システム。
【発明の詳細な説明】
【技術分野】
【０００１】
本発明は、所定の環境下にいる被験者の生体情報を測定し、その測定値に基づいて、所定の環境の状態又は所定の環境下にいる被験者の健康状態の管理を行う上で好適な生体情報収集システムに関する。
【背景技術】
【０００２】
従来、生体情報収集システムとして、特許文献１〜３に示されるシステムがある。
【０００３】
特許文献１に示されるシステムは、識別手段により識別した被験者の生体情報を測定し、時刻と共に記憶する。次いで、記憶された複数の被験者の生体情報の度数分布を基に、複数の被験者により構成される団体の生体情報の推移を確認するというものである。この場合、各被験者の生体情報が統計的に使用されるだけであり、匿名性は保持される。識別手段への被験者の登録方法としては、磁気カード、ＩＣカード等を用いる方法がある。
【０００４】
特許文献２及び３に示されるシステムは、団体に所属する所属員が、使用頻度の高い部屋に設置された生体情報測定装置を用いて生体情報を測定する。測定結果から健康管理データを作成して表示するようにしている。測定された生体情報は、登録カード等の個人認識手段を使用して個人データとして外部記憶装置に記憶させることができる。
【０００５】
【特許文献１】特開２００３−２４７９９１号公報
【特許文献２】特開２００３−８５２９２号公報
【特許文献３】特開２００４−４０１８号公報
【発明の開示】
【発明が解決しようとする課題】
【０００６】
しかしながら、従来のシステムにおいては、各被験者が所持するＩＣカードに生体情報を蓄積するという考えがない。
【０００７】
また、測定された生体情報は、各被験者が意識（認識）した状態で外部の記憶装置に記録されるのではなく、意識（認識）しない状態で強制的に外部の記憶装置への記録処理が行われる。すなわち、生体情報がいつ外部の記憶装置に記録されたかも知らないため、被験者は、生体情報が勝手に収集されているという不安感を抱くおそれがある。
【０００８】
本発明はこのような課題を考慮してなされたものであり、同一環境下にいる複数の被験者の生体情報を、各被験者が十分に認識した状態で外部の記憶装置に記録し、その記録された生体情報に基づいて、当該環境の状態又は当該環境下にいる被験者の健康状態の管理を行うことができ、例えば職場環境や特殊な環境下での被験者の健康状態を各被験者の認識の下で管理を行うことができる生体情報収集システムを提供することを目的とする。
【課題を解決するための手段】
【０００９】
本発明に係る生体情報収集システムは、被験者が入退出する所定の環境内に配設又は前記被験者に配設され、前記被験者の生体情報を測定して送信する生体情報検出センサと、前記被験者が所持する情報蓄積素子と、前記所定の環境への前記被験者の入退出を検出し、前記情報蓄積素子からの情報を取得して記憶する入退出管理装置とを有し、前記情報蓄積素子は、前記被験者のＩＤ情報が登録され、少なくとも前記生体情報検出センサから送信された前記生体情報を受信する受信手段と、少なくとも前記生体情報を記憶する記憶手段と、前記記憶手段に記憶された少なくとも前記ＩＤ情報及び前記生体情報を送信する送信手段とを有することを特徴とする。
【００１０】
これにより、同一環境下にいる複数の被験者の生体情報を、各被験者が十分に認識した状態で外部の記憶装置に記録し、その記録された生体情報に基づいて、当該環境の状態又は当該環境下にいる被験者の健康状態の管理を行うことができ、例えば職場環境や特殊な環境下での被験者の健康状態を各被験者の認識の下で管理を行うことができる。
【００１１】
そして、前記構成において、前記生体情報検出センサは、前記生体情報に加えて、該生体情報を測定した日時情報を送信し、前記情報蓄積素子の前記受信手段は、前記生体情報に加えて、前記生体情報を測定した日時情報を受信し、前記情報蓄積素子の前記記憶手段は、さらに、前記生体情報を測定した日時情報を記憶するようにしてもよい。
【００１２】
また、前記構成において、前記生体情報検出センサは、前記生体情報に加えて、前記生体情報を特定する生体情報コードを送信し、前記情報蓄積素子の前記受信手段は、前記生体情報に加えて、前記生体情報コードを受信し、前記情報蓄積素子の前記記憶手段は、少なくとも前記生体情報コード別に前記生体情報を記憶するようにしてもよい。
【００１３】
また、前記構成において、さらに、前記被験者が入退出する前記所定の環境の環境情報を測定して送信する環境情報検出センサを有し、前記情報蓄積素子の前記受信手段は、前記生体情報に加えて、前記環境情報検出センサから送信された環境情報を受信し、前記情報蓄積素子の前記記憶手段は、さらに、前記環境情報を記憶するようにしてもよい。
【００１４】
また、前記構成において、前記環境情報検出センサは、前記環境情報に加えて、該環境情報を測定した日時情報を送信し、前記情報蓄積素子の前記受信手段は、前記環境情報に加えて、前記環境情報を測定した日時情報を受信し、前記情報蓄積素子の前記記憶手段は、さらに、前記環境情報を測定した日時情報を記憶するようにしてもよい。
【００１５】
また、前記構成において、前記環境情報検出センサは、前記環境情報に加えて、前記環境情報を特定する環境情報コードを送信し、前記情報蓄積素子の前記受信手段は、前記環境情報に加えて、前記環境情報コードを受信し、前記情報蓄積素子の前記記憶手段は、少なくとも前記環境情報コード別に前記環境情報を記憶するようにしてもよい。
【００１６】
また、前記構成において、前記入退出管理装置は、前記所定の環境への前記被験者の入退出を検出する入退出検出手段と、前記入退出検出手段にて前記被験者が前記所定の環境から退出することを検出した際に、該被験者が所持する前記情報蓄積素子と通信を行って前記情報蓄積素子の前記記憶手段に記憶されている情報を取得する通信手段と、前記通信手段によって取得した前記情報を記憶する情報記憶手段とを有するようにしてもよい。
【発明の効果】
【００１７】
以上説明したように、本発明に係る生体情報収集システムによれば、同一環境下にいる複数の被験者の生体情報を、各被験者が十分に認識した状態で外部の記憶装置に記録し、その記録された生体情報に基づいて、当該環境の状態又は当該環境下にいる被験者の健康状態の管理を行うことができ、例えば職場環境や特殊な環境下での被験者の健康状態を各被験者の認識の下で管理を行うことができる。
【発明を実施するための最良の形態】
【００１８】
以下、本発明に係る生体情報収集システムの実施の形態例を図１〜図１３を参照しながら説明する。
【００１９】
本実施の形態に係る生体情報収集システム１０は、図１に示すように、複数の生体情報検出センサ１２と、複数の環境情報検出センサ１４と、被験者（図示せず）が所持する情報蓄積素子１６と、入退出管理装置１８とを有する。
【００２０】
生体情報検出センサ１２は、被験者が入退出する所定の環境２０内に配設又は所定の環境２０下にいる被験者に配設され、且つ、被験者の生体情報を測定して送信する機能を有する。所定の環境２０としては、例えば放射線、レーザ、薬品等を扱う特定の職場等が挙げられる。
【００２１】
生体情報検出センサ１２の例としては、電子体温計１２Ａ、電子体重計１２Ｂ、電子血圧計１２Ｃ、電子血糖値センサ１２Ｄ等である。
【００２２】
例えば電子体温計１２Ａは、被験者の体温を測定し、測定日時と測定値に関する情報（測定値、測定日時データ、体温を示す生体情報コード）を送信する。電子体重計１２Ｂは、被験者の体重を測定し、測定日時と測定値に関する情報（測定値、測定日時データ、体重を示す生体情報コード）を送信する。電子血圧計１２Ｃは、被験者の血圧を測定し、測定日時と測定値に関する情報（測定値、測定日時データ、血圧を示す生体情報コード）を送信する。電子血糖値センサ１２Ｄは、被験者の血糖値を測定し、測定日時と測定値に関する情報（測定値、測定日時データ、血糖値を示す生体情報コード）を送信する。
【００２３】
これら生体情報検出センサ１２は、被験者が入退出する所定の環境２０内に配設及び／又は被験者に配設され、例えば被験者が手動でスイッチ（図示せず）を操作することで測定を行う、あるいは被験者が常時装着して定期的に自動で測定を行う。
【００２４】
つまり、各生体情報検出センサ１２は、基本的には、図２に示すように、スイッチの操作による外部割込みあるいは定期的に発生する内部割込みに基づいて測定を行う測定部２２と、該測定部２２にて測定した結果（生体情報：測定値）や測定時刻データが一時的に格納される送信ファイル２４を有するメモリ部２６と、該メモリ部２６の送信ファイル２４に格納された内容（生体情報、測定日時データ）を、生体情報を特定するコード（生体情報コード）と共に送信する送信部２８と、これら測定部２２と送信部２８を制御する制御部３０とを有する。
【００２５】
図１に示すように、環境情報検出センサ１４は、上述した所定の環境２０内に配設又は所定の環境２０下にいる被験者に配設され、且つ、所定の環境２０下における環境情報を測定して送信する機能を有する。
【００２６】
環境情報検出センサ１４の例としては、電子放射線量センサ１４Ａや電子ガス濃度センサ１４Ｂ等が挙げられる。
【００２７】
例えば電子放射線量センサ１４Ａは、所定の環境２０下での放射線量を測定し、測定日時と測定値に関する情報（測定値、測定日時データ、放射線量を示す環境情報コード）を送信する。電子ガス濃度センサ１４Ｂは、所定の環境２０下でのガス濃度を測定し、測定日時と測定値に関する情報（測定値、測定日時データ、ガス濃度を示す環境情報コード）を送信する。
【００２８】
これら環境情報検出センサ１４は、例えば被験者が手動でスイッチを操作することで測定を行う、あるいは定期的に自動で測定を行う。
【００２９】
つまり、各環境情報検出センサ１４は、基本的には、図３に示すように、スイッチの操作による外部割込みあるいは定期的に発生する内部割込みに基づいて測定を行う測定部３２と、該測定部２２にて測定した結果（生体情報：測定値）や測定時刻データが一時的に格納される送信ファイル３４を有するメモリ部３６と、該メモリ部３６の送信ファイル３４に格納された内容（生体情報、測定日時データ）を、生体情報を特定するコード（生体情報コード）と共に送信する送信部３８と、これら測定部３２と送信部３８を制御する制御部４０とを有する。
【００３０】
図１に示すように、被験者が所持する情報蓄積素子１６は、パッケージ部材４２に実装された回路部４４（ＩＣチップを含む）と、パッケージ部材４２に配線され、回路部４４に接続された小型アンテナ４６とが一体的に実装された無線ＩＣタグ４７（ＲＦＩＤタグあるいは電子タグ等とも称される）を有する。
【００３１】
情報蓄積素子１６としては、被験者が所持し易いように、カード型の情報蓄積素子１６Ａ（図４参照）、指輪型の情報蓄積素子１６Ｂ（図５参照）、ピアス型の情報蓄積素子１６Ｃ（図６参照）等がある。
【００３２】
カード型の情報蓄積素子１６Ａは、図４に示すように、パッケージ部材４２が樹脂製であって、例えばクレジットカードのサイズ及び厚みを有し、このパッケージ部材４２の内部に回路部４４と小型アンテナ４６が実装されて構成されている。
【００３３】
指輪型の情報蓄積素子１６Ｂは、図５に示すように、パッケージ部材４２が樹脂製であって、例えばほぼリング状に形成され、その内部に回路部４４と小型アンテナ４６が実装されて構成されている。特に、被験者の指の太さの違いに対応するため、パッケージ部材４２の一部に切欠き部４８を有する。指の太い被験者は、パッケージ部材４２が弾性変形あるいは塑性変形して、切欠き部４８が広がるため、指に嵌めることができる。
【００３４】
ピアス型の情報蓄積素子１６Ｃは、図６に示すように、樹脂製の板状のパッケージ部材４２の一部に、被験者の耳に付ける金具を通すための貫通孔５０が形成されている。パッケージ部材４２の内部には回路部４４と小型アンテナ４６が実装されている。
【００３５】
そして、これら情報蓄積素子１６は、送受信機能と情報蓄積機能を有し、図７に示すように、電源部５２と、送受信部５４と、メモリ部５６と、これら送受信部５４及びメモリ部５６を制御する制御部５８とを有する。
【００３６】
送受信部５４は、生体情報検出センサ１２及び環境情報検出センサ１４からの情報や入退出管理装置１８からの指示を受信し、入退出管理装置１８からの指示に基づいてメモリ部５６に記憶されている情報を送信する。
【００３７】
メモリ部５６は、送受信部５４にて受信した生体情報検出センサ１２及び環境情報検出センサ１４からの情報を記憶する。
【００３８】
また、メモリ部５６には、特定のアドレスにＩＤ情報（ＩＤコード）が記憶され、さらに、被験者情報６０が記憶されるようになっている。
【００３９】
被験者情報６０は、生体情報コードの種類に対応した複数の生体情報ファイル６２と、環境情報コードの種類に対応した複数の環境情報ファイル６４とを有する。
【００４０】
各生体情報ファイル６２は、図８に示すように、生体情報コードに加えて、測定日時データと該測定日時における生体情報（測定値）が対応付けられて登録されるようになっている。
【００４１】
各環境情報ファイル６４も、図９に示すように、環境情報コードに加えて、測定日時データと該測定日時における環境情報（測定値）が対応付けられて登録されるようになっている。
【００４２】
入退出管理装置１８は、図１０に示すように、入退出検出部６６と、送受信部６８と、ＩＤ情報取得部７０と、被験者情報取得部７２と、メモリ部７４と、情報解析部７６と、これら入退出検出部６６、送受信部６８、ＩＤ情報取得部７０、被験者情報取得部７２、メモリ部７４、情報解析部７６を制御する制御部７８とを有する。また、この入退出管理装置１８には、例えば情報解析部７６での解析結果を表示する表示部８０が接続されている。
【００４３】
入退出検出部６６は、所定の環境２０の出入口に設置され、該所定の環境２０への被験者の入退出を検出する。光センサ等で構成することができる。
【００４４】
ＩＤ情報取得部７０は、入退出検出部６６にて被験者が所定の環境に入ったことを検出した際に、被験者が所持する情報蓄積素子１６に対してＩＤコードの送信指示を送受信部６８を介して行い、前記指示に基づいて情報蓄積素子１６から送信されてきたＩＤコードを受け取るという処理を行う。
【００４５】
被験者情報取得部７２は、入退出検出部６６にて被験者が所定の環境２０から退出することを検出した際に、該被験者が所持する情報蓄積素子１６に対して被験者情報６０の送信指示を送受信部６８を介して行い、前記指示に基づいて情報蓄積素子１６から送信されてきた被験者情報６０を受け取るという処理を行う。
【００４６】
メモリ部７４は、ＩＤコードの種類に対応した複数のデータファイル８２が論理的に割り付けられ、各データファイル８２には、ＩＤコードと、該ＩＤコードに対応する被験者の被験者情報６０（生体情報コードの種類に対応した複数の生体情報ファイル６２と、環境情報コードの種類に対応した複数の環境情報ファイル６４）が格納されるようになっている。
【００４７】
情報解析部７６は、制御部７８からの指示（ＩＤ情報を含む指示）に基づいて、メモリ部７４に記憶されている複数のデータファイル８２のうち、制御部７８から指示のあったＩＤ情報に対応するデータファイル８２を読み出して、統計的な処理を施すことで、当該ＩＤコードに対応する被験者についての環境状態（当該被験者の周辺環境の状態）、当該被験者の健康状態の解析が行われる。また、所定の環境２０下にいる被験者が全てこの所定の環境２０から退出した際に、制御部７８からの指示に基づいて、各データファイル８２内の環境情報ファイル６４の内容について統計的な処理を施して、所定の環境２０全体の状態を解析する。これらの解析結果は、表示部８０に表示され、被験者や管理者が容易に認識できるようになっている。
【００４８】
入退出管理装置１８は、図１の例では、所定の環境２０内に設置した例を示しているが、その他、所定の環境２０の近傍に設置してもよい。また、例えば医療機関にも同様の入退出管理装置１８を設置して、より専門的な解析ができるようにし、例えば被験者並びに所定の環境２０の管理者が、医師からのアドバイスを受けられるような体制を整えてもよい。
【００４９】
次に、本実施の形態に係る生体情報収集システム１０の処理動作について図１１〜図１３のフローチャートも参照しながら説明する。
【００５０】
最初に、生体情報検出センサ１２の動作について図２及び図１１を参照しながら説明すると、まず、図１１のステップＳ１において、測定開始の要求があったか否かが判別される。この判別は、図示しないスイッチの操作による外部割込みあるいは定期的に発生する内部割込みがあったかどうかで行われる。
【００５１】
測定開始の要求があった場合は、次のステップＳ２に進み、測定部２２（図２参照）による測定を開始する。この測定においては、被験者の体温、体重、血圧、血糖値等が測定される。測定値（生体情報）はメモリ部２６の送信ファイル２４に格納される。
【００５２】
測定が終了した段階で、次のステップＳ３に進み、測定部２２は、現在の時刻データを取得して送信ファイル２４に格納する。この時刻データは、生体情報収集システム１０にある時計（図示せず）から容易に取得することができる。
【００５３】
その後、ステップＳ４において、送信部２８は、メモリ部２６の送信ファイル２４に格納された内容（生体情報、測定日時データ）を、生体情報コードと共に送信する。送信されたデータは、現在測定中の被験者が所持している情報蓄積素子１６にて受信されることになる。
【００５４】
そして、次のステップＳ５において、生体情報検出センサ１２に対する終了要求（電源断やメンテナンス割込み）があったか否かが判別される。終了要求がない場合は、ステップＳ１に戻り、次の測定開始を待つ。終了要求があった場合は、この生体情報検出センサ１２での処理動作が終了する。
【００５５】
なお、環境情報検出センサ１４での処理動作も上述したステップＳ１〜ステップＳ５と同様の処理動作を行うため、その説明を省略する。
【００５６】
次に、被験者が所持する情報蓄積素子１６の処理動作について図７及び図１２を参照しながら説明する。
【００５７】
まず、図１２のステップＳ１０１において、送受信部５４は、生体情報検出センサ１２、環境情報検出センサ１４、入退出管理装置１８からの送信を待つ。
【００５８】
送信があった場合は、次のステップＳ１０２に進み、今回受信した内容が入退出管理装置１８からの指示であるか否かが判別される。
【００５９】
入退出管理装置１８からの指示でなければ、次のステップＳ１０３に進み、生体情報検出センサ１２からの情報（生体情報コード、生体情報、測定日時データ）あるいは環境情報検出センサ１４からの情報（環境情報コード、環境情報、測定日時データ）を送受信部５４を通じて受け取る。受け取られた情報はメモリ部５６に格納される。具体的には、受信した情報が生体情報検出センサ１２からの情報であれば、メモリ部５６に割り付けられている複数の生体情報ファイル６２のうち、生体情報コードに対応する生体情報ファイル６２に、今回の測定日時データと生体情報とが対応付けて格納される。
【００６０】
受信した情報が環境情報検出センサ１４からの情報であれば、メモリ部５６に割り付けられている複数の環境情報ファイル６４のうち、環境情報コードに対応する環境情報ファイル６４に、今回の測定日時データと環境情報とが対応付けて格納される。
【００６１】
一方、前記ステップＳ１０２において、入退出管理装置１８からの指示であると判別された場合は、ステップＳ１０４に進み、今回の指示が被験者の入室（被験者が所定の環境に入ったことを示す）に伴うＩＤコードの送信指示であるか否かが判別される。
【００６２】
被験者の入室に伴うＩＤコードの送信指示であれば、次のステップＳ１０５に進み、メモリ部５６における特定のアドレスに記憶されているＩＤコードを送受信部５４を通じて入退出管理装置１８に送信する。
【００６３】
前記ステップＳ１０５において、被験者の退出に伴う被験者情報の送信指示であると判別された場合は、ステップＳ１０６に進み、メモリ部５６に記憶されているＩＤコードと被験者情報（複数の生体情報ファイル６２及び複数の環境情報ファイル６４）を送受信部５４を通じて入退出管理装置１８に送信する。
【００６４】
前記ステップＳ１０３での処理が終了した段階、あるいは前記ステップＳ１０５での処理が終了した段階、あるいは前記ステップＳ１０６での処理が終了した段階で次のステップＳ１０７に進み、情報蓄積素子１６に対する終了要求（電源断や被験者からの取り外し、メンテナンス割込み等）があったか否かが判別される。終了要求がない場合は、ステップＳ１０１に戻り、次の受信を待つ。終了要求があった場合は、この情報蓄積素子１６での処理動作が終了する。
【００６５】
次に、入退出管理装置１８の処理動作について図図１０及び図１３を参照しながら説明する。まず、図１３のステップＳ２０１において、入退出検出部６６は、所定の環境２０への被験者の入室（被験者が所定の環境に入ったことを示す）があったか否かが判別される。被験者の入室を検出した場合は、次のステップＳ２０２に進み、送受信部６８は、入室した被験者が所持する情報蓄積素子１６に対してＩＤコードの送信指示を示す割込み信号を送信する。
【００６６】
送信対象の情報蓄積素子１６では、上述したように、図１２のステップＳ１０５において、ＩＤコードを入退出管理装置１８に送信する。入退出管理装置１８のＩＤ情報取得部７０は、ステップＳ２０３において、情報蓄積素子１６から送信されてきたＩＤコードを送受信部６８を通じて受け取り、さらに、ステップＳ２０４において、入室時刻データを取得する。この入室時刻データは、生体情報収集システム１０にある時計（図示せず）から容易に取得することができる。
【００６７】
その後、ステップＳ２０５において、今回のＩＤコードに対応するデータファイル８２をメモリ部７４に確保する。このデータファイル８２には、被験者の被験者情報６０が格納できる程度の記憶容量となっている。
【００６８】
前記ステップＳ２０５での処理が終了した段階、あるいは前記ステップＳ２０１において被験者の入室が検出されなかった場合は、次のステップＳ２０６に進み、入退出検出部６６は、所定の環境２０から被験者の退出（被験者が所定の環境２０から出たことを示す）があったか否かが判別される。被験者の退出を検出した場合は、次のステップＳ２０７に進み、送受信部６８は、退出する被験者が所持する情報蓄積素子１６に対して被験者情報６０の送信指示を示す割込み信号を送信する。
【００６９】
送信対象の情報蓄積素子１６では、上述したように、図１２のステップＳ１０６において、ＩＤコードと被験者情報６０を入退出管理装置１８に送信する。入退出管理装置１８の送受信部６８は、ステップＳ２０８において、情報蓄積素子１６から送信されてきた情報のうち、ＩＤコードを受け取り、次いで、ステップＳ２０９において、退出時刻データを取得する。さらに、ステップＳ２１０において、情報蓄積素子１６から送信されてきた情報のうち、被験者情報６０を受け取り、次のステップＳ２１１において、複数のデータファイル８２のうち、今回のＩＤコードに対応するデータファイル８２に今回の被験者情報６０を格納する。
【００７０】
その後、ステップＳ２１２において、情報解析部７６は、今回のＩＤコードに対応する被験者の被験者情報６０、入室時刻データ及び退出時刻データを読み出して、統計的な処理を施し、当該ＩＤコードに対応する被験者についての環境状態（当該被験者の周辺環境の状態）、当該被験者の健康状態の解析を行う。この解析結果は、表示部８０に表示される。
【００７１】
その後、ステップＳ２１３において、入室したすべての被験者がすべて退出したか否かが判別される。すべての被験者が退出していなければ、前記ステップＳ２０１に戻り、ステップＳ２０１以降の処理を繰り返す。すべての被験者が退出した場合は、次のステップＳ２１４に進み、情報解析部７６は、メモリ部７４に記憶されている全てのデータファイル８２からそれぞれ環境情報ファイル６４を読み出して、統計的な処理を施し、所定の環境２０全体の状態を解析する。この解析結果は、表示部８０に表示される。
【００７２】
そして、次のステップＳ２１５において、入退出管理装置１８に対する終了要求（電源断やメンテナンス割込み）があったか否かが判別される。終了要求がない場合は、ステップＳ２０１に戻り、該ステップＳ２０１以降の処理を繰り返す。終了要求があった場合は、この入退出管理装置１８での処理動作が終了する。
【００７３】
このように、本実施の形態に係る生体情報収集システム１０においては、所定の環境２０下にいる複数の被験者の生体情報並びに環境情報を、各被験者が十分に認識した状態で外部の記憶装置（入退出管理装置１８のメモリ部７４）に記録し、その記録された生体情報並びに環境情報に基づいて、当該環境の状態及び当該所定の環境２０下にいる被験者の健康状態の管理を行うことができ、例えば職場環境や特殊な環境下での被験者の健康状態を各被験者の認識の下で管理を行うことができる。
【００７４】
上述の例では、１つの所定の環境２０を想定して説明したが、その他、複数の環境の状態やこれら複数の環境下にいる被験者の健康状態等を管理することも可能である。この場合、異なる環境毎のコードを検索キーとしてファイル管理することで容易に実現させることができる。
【００７５】
なお、本発明に係る生体情報収集システムは、上述の実施の形態に限らず、本発明の要旨を逸脱することなく、種々の構成を採り得ることはもちろんである。
【図面の簡単な説明】
【００７６】
【図１】本実施の形態に係る生体情報収集システムを示す構成図である。
【図２】本実施の形態に係る生体情報収集システムの生体情報検出センサを示す構成図である。
【図３】本実施の形態に係る生体情報収集システムの環境情報検出センサを示す構成図である。
【図４】カード型の情報蓄積素子を示す構成図である。
【図５】指輪型の情報蓄積素子を示す構成図である。
【図６】ピアス型の情報蓄積素子を示す構成図である。
【図７】本実施の形態に係る生体情報収集システムの情報蓄積素子を示す構成図である。
【図８】生体情報ファイルの内訳の一例を示す説明図である。
【図９】環境情報ファイルの内訳の一例を示す説明図である。
【図１０】本実施の形態に係る生体情報収集システムの入退出管理装置を示す構成図である。
【図１１】生体情報検出センサの処理動作を示すフローチャートである。
【図１２】情報蓄積素子の処理動作を示すフローチャートである。
【図１３】入退出管理装置の処理動作を示すフローチャートである。
【符号の説明】
【００７７】
１０…生体情報収集システム              １２…生体情報検出センサ
１４…環境情報検出センサ                １６…情報蓄積素子
１８…入退出管理装置
【図１】
2006263105.tif 000003
【図２】
2006263105.tif 000004
【図３】
2006263105.tif 000005
【図４】
2006263105.tif 000006
【図５】
2006263105.tif 000007
【図６】
2006263105.tif 000008
【図７】
2006263105.tif 000009
【図８】
2006263105.tif 000010
【図９】
2006263105.tif 000011
【図１０】
2006263105.tif 000012
【図１１】
2006263105.tif 000013
【図１２】
2006263105.tif 000014
【図１３】
2006263105.tif 000015